(57)【要約】【課題】操作が簡単で、外観の体裁も損なわず、作業効率性の高い、スライド装置を備えた物干し竿を提供する。【解決手段】洗濯物の拡散、集合、固定が簡単に出来る手段として、取っ手部分のみの操作でこれらが行える方法と、外観の体裁を損なわない手段として物干し竿内部にスライド装置を仕組んだ方法と、洗濯物を迅速に拡散、集合が行える手段としてスライド装置を備えた方法。【選択図】  図１
2004223033.tif 000002
【特許請求の範囲】
【請求項１】
物干し竿本体の、物干し竿底部に有するレール溝内に回転車輪を有し、その前記回転車輪と、ハンガー引っ掛け部を一体化させる事によって前記ハンガー引っ掛け部の横移動が可能になる。ことを特徴とするスライド装置付き物干し竿。
【請求項２】
物干し竿に備えられた複数のハンガー引っ掛け部を最大範囲、又最小範囲に横移動させた時、複数のハンガー引っ掛け部同士の間隔を等間隔に保つ装置を備えたものを特徴とする請求項１記載のスライド装置付き物干し竿。
【請求項３】
複数のハンガー引っ掛け部を連ねて横移動させる手段として物干し内部に複数の連動装置を、備えたものを特徴とする請求項１記載のスライド装置付き物干し竿。
【請求項４】
ハンガー引っ掛け部を横移動させる時、最大限に移動させなくとも、任意の移動位置で、ハンガー引っ掛け部の位置を固定出来る固定装置を備えたものを特徴とする請求項１記載のスライド装置付き物干し竿。
【請求項５】
物干し竿本体に対し、平行に横移動させるための手段を備えたものを特徴とする請求項１記載のスライド装置付き物干し竿。
【発明の詳細な説明】
【０００１】
【発明の属する技術分野】
本発明は物干し竿内部にスライド装置を備えた物干し竿の、構造の分野に関するものとする。
【０００２】
【従来の技術】
日常生活での洗濯物干しという家事労働は非常に手間のかかる作業である。実際に家庭用洗濯機から取り出された衣類は水分が抜けきっておらず重たいものである。現在大半の人は重い沢山の洗濯物を籠の中に入れ、物干し竿の前を移動しながら、洗濯物を干したり、取り込んだり、すなわち動線距離が長くなり、時間のかかる重労働であり、作業効率が低い。物干し竿内部にスライド装置を備えたのは動線距離の長さ、時間がかかる重労働という作業効率性の問題点を解決するための１つの手段である。
【０００３】
従来のスライド式物干し竿の問題のひとつは、物干し竿の外部もしくは家庭用ハンガー本体同士をロープ等で連結させ、スライド収縮時にロープ等の弛みが煩わしく、体裁の悪いものであった。従来のスライド式物干し竿のもうひとつの問題は、それらがしばしば操作が難しく、ロープや洗濯物が強風に煽られるとロープや洗濯物がお互いに絡み合うという問題が生じていた。
【０００４】
【発明が解決しようとする課題】
操作が簡単で、外観の体裁も損なわず、作業効率の高いスライド装置を備えた物干し竿を設計する事を課題とする。
【０００５】
本発明はこのような従来の問題を解決しようとするもので、作業における動線距離の短縮、労働力の軽減、作業時間の短縮、体裁の良さ等を兼ね備えたスライド装置付き物干し竿を提供することが出来る。
【０００６】
【課題を解決するための手段】
以上の課題を解決するために、請求項１の発明は、物干し竿本体と、物干し竿底部に有するレールの溝内に回転車輪を備え、ハンガー引っ掛け部の横移動が可能になる事を特徴とするスライド装置付き物干し竿である。また、請求項２の発明は、物干し竿に備えられた複数のハンガー引っ掛け部を最大範囲、又最小範囲に横移動させた時、複数のハンガー引っ掛け部同士の間隔を等間隔に保つ装置を備えたものを特徴とする請求項１記載のスライド装置付き物干し竿。また、請求項３の発明は、複数のハンガー引っ掛け部を連ねて横移動させる手段として物干し内部に複数の連動装置を、備えたものを特徴とする請求項１記載のスライド装置付き物干し竿。また、請求項４の発明は、ハンガー引っ掛け部を横移動させる時、最大限に移動させなくとも、任意の移動位置で、ハンガー引っ掛け部の位置を固定出来る固定装置を備えたものを特徴とする請求項１記載のスライド装置付き物干し竿。また、請求項５の発明は、物干し竿本体に対し、平行に横移動させるための手段を備えたものを特徴とする請求項１記載のスライド装置付き物干し竿。
【０００７】
【発明実施の形態】
次に、本発明について図面を参照して説明する。本発明のスライド装置付き物干し竿は、図６に示されるように、物干し竿本体１の底面にレール溝１１を有し、物干し竿本体内部には図２のスライド装置が備えられ、連動部材６の端部には連結ピン１３で連動部材同士が連結されており、このスライド孔７の長手方向の開口長さによって複数から成るハンガー引っ掛け部２同士の間隔の寸法が決定される。そして、軸３からなる回転車輪５によってスライド装置をスムーズに作業させ、脱線防止部材４によって回転車輪５の動きを安定させることが出来る
【０００８】
次に本発明のスライド装置付き物干し竿に備えられた固定装置について説明する。図１に示す複数のハンガー引っ掛け部２の一番端に備えられた図１０の固定装置にプレート部材１４によって連結された図２に示すスライド装置の動きを固定、開放でき、よってスライド装置に連結されたハンガー引っ掛け部２の移動位置を決定出来るものである。図８に示す固定装置は固定されている状態であり、取っ手９を下方へ引っ張り、取っ手９を９０度回転させ固定部材８を物干し竿本体１と平行にし、取っ手９を戻すと、図７に示すように固定解除出来、図２のスライド装置を作動することが出来る。図８に示すように固定する時は、固定部材８を物干し竿本体１と直角方向にし、スプリング１０の作用で固定部材８と竿下部の圧着により固定出来る。図７に示す固定装置の動作をスムーズに作動させる要素として、軸３に備えられた回転車輪５とレール溝１１により、回転車輪５の脱線を防止するための脱線防止部材４を備えた。
【０００９】
次に本発明のスライド装置付き物干し竿に備えられた図９に示すスライド装置の状態について説明する。スライド装置最下部の有するハンガー引っ掛け部２上部に軸３を有し、軸３最上部に連動部材６が回転軸１３によって連結されており、物干し竿内部の回転車輪５が脱線防止部材４とで物干し竿底面に有する図６記載のレール溝１１を挟み込んだ状態となっており、図９に示す連動部材６の端部に備えられた回転軸１２と連結ピン１３で構成される。連結部材が第二連動部材１５のスライド孔１６と連結されている仕組みとなるものである。
【００１０】
次に本発明のスライド装置付き物干し竿の一連の動作について説明する。まず、図７に示す固定装置の固定解除を行い、図１に示す取っ手９をａの方向へ移動させていく、それに伴って、連動部材６の連結ピン１３が第二連動部材１５のスライド孔１６のＡ部を引っ張り作用し、取っ手９をさらに移動させると第二連動部材１５の連結ピン１３が第三連動部材１７のスライド孔１８のＣ部に引っ張り作用する。この一連の動作を連動させる装置の数だけ行う。取っ手９を最下まで移動させた状態か、任意の位置まで移動させた状態の時、図８に示す固定装置の固定を行う。再び図７に示した固定装置の固定解除を行い、図１に示した取っ手９をｂの方向へ移動させる。それに伴って連動部材６の連結ピン１３が第二連動部材１５のスライド孔１６のＤ部に押す作用をし、取っ手９を更に移動させると、第二連動部材１５の連結ピン１３が第三連動部材１７のスライド孔１８のＢ部に押す作用をする。この一連の動作を連動させる装置の数だけ行う。
【００１１】
固定装置と一番離れた場所に位置するハンガー引っ掛け部は物干し竿本体に固定され続け、移動は出来ないものとする。
【００１２】
注目すべき点は、本発明の実施例による図９に示す回転軸１２，２１の採用により、図５に示す複数からなる連動部材６，１５，１７，１９同士の斜形し、重なりあって出来た構成から、図４に示す直線方向への構成へと移行していく手順にある。その理由とは、物干し竿内部という限られたスペースにおいて、複数のスライド装置を備えるという問題であり、直線方向への移行をいかにスムーズに摩擦を少なく行えるかということが重要な課題であった。本発明における、図５に示した複数からなる連動部材同士の斜形し、重なりあって出来た構成から、図４に示した直線方向へ移行する構成は、回転軸１２，２１の採用により、物干し竿内部という限られたスペースで、複数のスライド装置を備えることを可能にした。又、図４に示す軸３に直接、回転車輪５を設けることによって、洗濯物の荷重を直接、スライド装置に伝える事がなく、連結ピン１３と連動部材６，１５，１７との接点における摩擦抵抗を軽減させることも可能にした。
【００１３】
【発明の効果】
以上のように請求項１記載の発明によれば、家庭用ハンガーを掛ける位置であるハンガー引っ掛け部を集合させ、衣類の掛かったハンガーを掛け、ハンガー引っ掛け部をスライドし、拡散、集合出来るので、迅速に洗濯物干し作業や取り込み作業を行うことが出来る。また、請求項２記載の発明によれば、ハンガー引っ掛け部を拡散させた時に等間隔を保つことにより、洗濯物を効率よく乾燥させることが出来る。また、請求項３記載の発明によれば、物干し竿内部という限られたスペースでスライド出来る。スライド装置を備えたことにより、物干し竿外部に装置自体を露出させることなく、シンプルに体裁を保つことが出来る。また、請求項４記載の発明によれば、固定装置を設けたことにより、風に煽られた洗濯物でも絡みあったり、物干し竿の隅に偏ったりすることがなくなった分、洗濯物を乾燥させる効率の確実性を更に高めることが出来る。
【図面の簡単な説明】
【図１】物干し竿断面斜視、及びスライド装置の斜視図である。
【図２】スライド装置の拡散された状態での拡大斜視図である。
【図３】スライド装置の集合された状態での拡大斜視図である。
【図４】物干し竿の縦断面、及びスライド装置の拡散された状態での横面図である。
【図５】物干し竿の縦断面、及びスライド装置の集合された状態での横面図である。
【図６】物干し竿の横断面、及びスライド装置の正面図である。
【図７】物干し竿の横断面、及び固定装置の固定解除された状態での正面図である。
【図８】物干し竿の横断面、及び固定装置の固定された状態での正面図である。
【図９】スライド装置の分解斜視図である。
【図１０】固定装置の分解斜視図である。
【符号の説明】
１    物干し竿本体
２    ハンガー引っ掛け部
３    軸
４    脱線防止部材
５    回転車輪
６    連動部材
７    スライド孔
８    固定部材
９    取っ手
１０  スプリング
１１  レール溝
１２  回転軸
１３  連結ピン
１４  プレート部材
１５  第二連動部材
１６  スライド孔
１７  第三連動部材
１８  スライド孔
１９  第四連動部材
２０  スライド孔
２１  回転軸
【図１】
2004223033.tif 000003
【図２】
2004223033.tif 000004
【図３】
2004223033.tif 000005
【図４】
2004223033.tif 000006
【図５】
2004223033.tif 000007
【図６】
2004223033.tif 000008
【図７】
2004223033.tif 000009
【図８】
2004223033.tif 000010
【図９】
2004223033.tif 000011
【図１０】
2004223033.tif 000012